(57)【要約】      （修正有）【課題】構成部材を大幅に減少できる多方向に回動可能な電子装置を提供する。【解決手段】連結ユニット１０は、一端に着脱可能な方式で別の電子装置と接続する連結端部１３と、もう一端に球形の輪郭を有する枢着部材１７を備える。電子ユニット２０は、ケーシング２１及び電子モジュールを有する。電子モジュールはケーシング２１に収容され、ケーシング２１の内部には枢着部材を収容するための収容エリアが設けられ、枢着部材をケーシング２１をベースとして相対させ、任意に回動可能とする。したがって、電子装置は、多方向に角度調整を行うことができ、ユーザーに対して動作調整時における便利さをもたらすだけでなく、必要な構成部材を減少でき、且つコストの支出を減少でき、構成部材の損失消耗を減少できる単一モジュールの結合に利用される。【選択図】図１
0003113161.tif 000002
【実用新案登録請求の範囲】
【請求項１】
一端に着脱可能な方式で別の電子装置と接続する連結端部、及びもう一端に球形の輪郭を有する枢着部を有する連結ユニットと、
ケーシング及び電子モジュールを有する電子ユニットであって、前記電子モジュールは前記ケーシングに収容され、前記ケーシングの内部には前記枢着部を収容するための収容エリアが設けられ、前記枢着部を前記ケーシングをベースとして相対させ、任意に回動可能とする電子ユニットと、
を備えることを特徴とする多方向に回動可能な電子装置。
【請求項２】
前記連結端部は、ＵＳＢ（ユニバーサルシリアルバスコネクタ）であることを特徴とする請求項１記載の多方向に回動可能な電子装置。
【請求項３】
前記連結ユニットは、連結部材及び枢着モジュールを有し、前記連結部材の一端に前記連結端部が設けられ、もう一端には固定端部が設けられ、前記枢着モジュールは収容部と前記枢着部とを有し、前記枢着部は前記収容部の側面より伸出してなり、前記連結部材の固定端部は前記枢着モジュールの収容部に固定連結されることを特徴とする請求項１に記載の多方向に回動可能な電子装置。
【請求項４】
前記連結ユニットは、さらに位置決め部材を有し、前記位置決め部材が前記枢着部と軸接することを特徴とする請求項１に記載の多方向に回動可能な電子装置。
【請求項５】
前記位置決め部材の表面に凸部（突起部）が設けられ、前記電子ユニットの収容エリアには位置決め溝を備え、前記位置決め部材の凸部（突起部）は前記位置決め溝の中に位置し、前記位置決め部材を予め決められた方向にのみ擺動可能となるように制限することを特徴とする請求項４に記載の多方向に回動可能な電子装置。
【請求項６】
前記枢着部の内壁環状面に係止溝が設けられ、前記位置決め部材の平らな切欠面は外部に向かって伸出し、中空の管状を有し、さらに前記管状の周囲に環状の溝が設けられ、前記管状が前記枢着部の回転軸部内に配置され、前記枢着部の係止溝と前記溝が嵌合して軸接することにより、前記位置決め部材をその位置で前記枢着部に相対させ、回転動作が行えるようにすることを特徴とする請求項５に記載の多方向に回動可能な電子装置。
【請求項７】
前記位置決め部材は、少なくとも１つの通孔が設けられ、ワイヤを貫通させることを特徴とする請求項４に記載の多方向に回動可能な電子装置。
【請求項８】
前記電子モジュールは、電気回路の受発送機能を備える電気回路板であり、特定の無線信号に対して受送信または伝送の動作を行うことを特徴とする請求項１に記載の多方向に回動可能な電子装置。
【請求項９】
前記収容エリア内に二つの軸受け台座を有し、前記二つの軸受け台座はそれぞれ円形孔の台座を有し、前記回転軸部を枢着するために用いられることを特徴とする請求項１に記載の多方向に回動可能な電子装置。
【請求項１０】
枢着部と前記位置決め部材は、それぞれ位置決め凸柱を有し、前記枢着部を前記位置決め部材に相対させ、制限された角度の回転動作を行わせることを特徴とする請求項５に記載の多方向に回動可能な電子装置。
【請求項１１】
前記電子モジュールは、メモリを有するデータ保存装置としてなることを特徴とする請求項１に記載の多方向に回動可能な電子装置。
【請求項１２】
前記電子モジュールは、連結端子としてなることを特徴とする請求項１に記載の多方向に回動可能な電子装置。
【請求項１３】
前記連結端部は、一般のソケット端子としてなり、前記電子モジュールはソケット電子部材としてなることを特徴とする請求項１に記載の多方向に回動可能な電子装置。
【請求項１４】
前記連結端部は、一般のプラグ端子としてなり、前記電子モジュールはワイヤユニットとしてなることを特徴とする請求項１に記載の多方向に回動可能な電子装置。
【考案の詳細な説明】
【技術分野】
【０００１】
本考案は、電子装置に関し、特に、多方向に回動可能な電子装置に関する。
【背景技術】
【０００２】
電子装置と別の電子装置を電気的に接続する際、電子装置はその周辺状況により多方向に回動可能な機能を有することが要求されている。例えば、信号の伝送の殆どが伝統的に比較的安定した有線伝送方式によって行われてきたが、無線伝送技術の増進発展に伴い、各電子装置における信号伝送方式は徐々に伝統的な有線伝送方式から無線伝送方式に取って代わられるようになっている。
【０００３】
まず、台湾公告第５５８０２５号案において、「回転折畳式無線ネットワークカード」が開示され、それは、二方向への擺動が可能であるが、アンテナ部を適切な位置に調整することで信号を受信するものであり、その回転方式は第２連結部（凹溝）と枢着部（位置決め部材）の結合による第１方向の回転（９０度の回転のみ可能）と、さらに回転軸によって枢着部とアンテナ部を結合することで第２方向の擺動とするものである。しかし、このような構造は、異なる擺動方向にそれぞれ用いられる二組の結合によって多方向の回転の目的を達成するものであるが、その構成部材の複雑さが体積過大を招くだけでなく、時代の潮流に則すものではない。また、製造及び組立手順上でのコストを増大させ、さらに二組の回転部材を調整した後、アンテナ部を必要な適切な位置に調整しなければならないため、ユーザーにとっては不便である。
【０００４】
この他、台湾公告第７３８６２号またはＭ２５０２０２号案においても、二組の異なる方向の回転部材の結合によって多方向への回動の目的を達成することが公開されているが、そこで生じる問題点は前述の公告第５５８０２５号と同様のものである。
【考案の開示】
【考案が解決しようとする課題】
【０００５】
上記を鑑み、本考案の主な目的は、単一の回動部材による結合によって多方向の回転の目的を達成することであり、且つその構成部材を大幅に減少することができる多方向に回動可能な電子装置を提供することにある。
【課題を解決するための手段】
【０００６】
そこで、上記目的を達するために、本考案は、一端に着脱可能な方式によって別の電子装置と接続可能な連結端部を有し、もう一端に球形の輪郭を有する枢着部を備える連結ユニットと、ケーシング及び電子モジュールを有する電子ユニットであって、該電子モジュールは該ケーシング内に収容され、該ケーシング内にはさらに該枢着部を収容するための収容エリアが設けられ、該枢着部を該ケーシングをベースとして任意に回転可能にする電子ユニットとを設けた多方向に回動可能な電子装置を提供する。
【考案を実施するための最良の形態】
【０００７】
本考案の特徴及び目的を審査官により深く理解し、認めてもらうため、以下に好ましい実施例を列挙し、且つ図面と共に説明する。
図１は本考案の多方向に回動可能な電子装置の好ましい一実施例を示す分解斜視図であり、図２は本考案の多方向に回動可能な電子装置の好ましい一実施例を示す局部の分解斜視図であり、図３は図１の好ましい一実施例を組立てた状態の斜視図であり、図４は図１の好ましい一実施例を組立てた状態の上断面図であり、図５は図１の好ましい一実施例を組立てた状態の側断面図であり、図６は図１の好ましい一実施例における動作を示す断面図であり、図７は図１の好ましい一実施例における動作を示す断面図であり、図８は本考案の好ましい第二実施例における枢着部材と位置決め部材の構造を示す分解斜視図である。
【０００８】
図１から図５は、本考案の好ましい一実施例が提供する多方向に回動可能な電子装置について示している。
該電子装置は、連結ユニット１０及び電子ユニット２０を有し、該連結ユニット１０は連結部材１１と枢着モジュール１２とを備える。
【０００９】
該連結部材１１の一端は、電子装置の連結端部（ＵＳＢソケット）に挿し込み着脱用に用いられる連結端部１３とし、本考案の実施例においてはＵＳＢ（ユニバーサルシリアルバスコネクタ）を代表とする。さらに、該連結部材１１のもう一端には固定端部１４を設けている。
【００１０】
該枢着モジュール１２は、枢着部材１６及び位置決め部材１７を有する。該枢着部材１６は第１の枢着ケーシング１６１及び外形を該第１の枢着ケーシング１６１と同じくする第２の枢着ケーシング１６２を有し、該第１の枢着ケーシング１６１は該第２の枢着ケーシング１６２と蓋合により結合可能で、該第１の枢着ケーシング１６１と該第２の枢着ケーシング１６２が蓋合した後、収容部１６３と回転軸部１６４との境界を作り出し、該収容部１６３の内部には収容空間１６５を設け、該収容部１６３の片側には該収容空間１６５と連通し、該連結部材１１の固定端部１４を該収容空間１６５内に収容する開口（切欠部）１６６を設け、該連結端部１３は該開口（切欠部）１６６より外部へ伸出し、球形の輪郭を有し、中空の半円球状を呈する該回転軸部１６４は該収容部１６３が相対する該開口（切欠部）１６６の片側より伸出してなる。該位置決め部材１７は球形の輪郭と中空の半円球状を呈し、その円弧の表面に凸部（突起部）１７１が設けられ、該位置決め部材１７の平らな切断面は外部に向かって伸出する管状体１７３を有し、該管状体を該枢着部材１６の回転軸部１６４内に配置し、緊密に軸接させ、該位置決め部材１７がその位置で該回転軸部１６４に相対して回転動作を行えるようにし、また、該位置決め部材１７の円弧表面の両側にそれぞれ通孔１７２を設け、該管状体１７３内部をそれぞれ貫通するようにする。
【００１１】
該電子ユニット２０はケーシング２１及び電子モジュール２２を有し、該ケーシング２１内には収容エリア２３が設けられ、該収容エリア２３は位置決め溝２３１及び二つの軸受け台座２３２を有し、該位置決め溝２３１は位置決め部材１７の凸部（突起部）１７１と嵌合し、該二つの軸受け台座２３２はそれぞれ枢着結合後の該回転軸部１６４と該位置決め部材１７に用いられ、且つ該二つの軸受け台座２３２はそれぞれアーチ線孔２３３を有し、該電子モジュール２２は該ケーシング２１に収容され、電気回路板を有し、特定の無線信号に対する受送信或いは伝送の動作を行うことができる電気回路の受発信機能を備える電気回路板としてなる。
【００１２】
上記に述べたのは、本実施例が提供する多方向に回動可能な電子装置の主な構成部材についてであり、引き続きその使用方式及び長所について以下に紹介する。
まず、該連結部材１１の固定端部１４を該枢着部材１６の収容空間１６５内に配置し、該連結端部１３を該開口（切欠部）１６６より外部へ伸出可能とし、該連結部材１１と該枢着部材１６が固定連結された状態となるようにし、さらに位置決め部材１７の管状体１７３を該枢着部材１６の回転軸部１６４に配置し、緊密に軸接させるように設け、該位置決め部材１７と該枢着部材１６が相対して回転動作を行うことができるようにし、さらに該枢着部材１６の回転軸部１６４と該位置決め部材１７は該ケーシング２１の収容エリア２１の軸受け台座２３２の間に並べて配置され、該位置決め部材１７の凸部（突起部）１７１が該収容エリア２３の位置決め溝２３１に嵌入し、該位置決め部材１７をその凸部（突起部）１７１及び該位置決め溝２３１によって制限し、該連結ユニット１０を該ケーシング２１に相対させて上下の枢着動作のみを行うようにする（図６に示す）。このようにして、該位置決め部材１７の通孔１７２は永久に該軸受け台座２３２のアーチ線孔２３３と通じ、該ケーシング２１内に位置する電子モジュール２２をワイヤの接続によって該連結部材１１の連結端部と電気的に接続させる。該ワイヤの設置方式は、一端が電子モジュール２２に連結可能で、もう一端が該収容エリア２３の軸受け台座２３２のアーチ線孔２３３と、さらに該位置決め部材１７の通孔１７２を順次経由し、該回転軸部１６４に通されて、最後に該収容部１６３を通り抜けて連結部材１１の連結端部１３と電気的に接続可能とし、該電子モジュール２２と該連結端部１３が電気的通電状態を呈するようにするものである。この他、図７は、該連結ユニット１０を該ケーシング２１に相対させ、無制限に３６０度の回転動作を行わせて、該連結部材１６が該位置決め部材１７に相対し、無制限に３６０度の回転動作を行うことが可能なことを示している。
【００１３】
図８は本考案の好ましい第二実施例について示しているが、上記の実施例との差異は枢着部材と位置決め部材の構成にあり、即ち、設計上から見ると、ワイヤが捻じれて裂けることを防ぐためにワイヤを無制限に３６０度回転させることは不可能なため、該枢着部材１６は該位置決め部材１７の回転角度を制御するために、回転軸部１６４と該位置決め部材１７内に位置決め凸柱１６９と位置決め凸柱１７５を設けることによって、該枢着部材１６が該位置決め部材１７に相対し、制限された単一の３６０度の回転動作を行うことができるようにする。即ち、該連結ユニット１０が該ケーシング２１に相対し、単一の３６０度の回転動作を行うようにする。この他、該回転軸部１６４と該位置決め部材１７との結合を強化するために、該回転軸部１６４の内壁面に係止溝１６７を環状に設け、さらに該位置決め部材１７の管状体１７３の末端の周面に環状の溝１７４を設け、該回転軸部１６４の係止溝１６７が該溝１７４と嵌合し、枢着するようにする。
【００１４】
上記構成の組合せによって、連結ユニット１０の連結端部１３がコンピュータの接合端部（該連結端部に対応するソケット）に挿し込まれる際、コンピュータが発信する無線信号が必要な場合、該連結端部１３を通じて無線信号を該電子モジュール２２に伝送することができ、さらに該電子モジュール２２によって外部に向けて信号を発信するか、もしくは、該電子モジュール２２によって無線信号を受信した後、その信号を該連結端部１３に伝送し、コンピュータ内に送り入れ、無線信号の受発信あるいは発送のために、電子モジュールの位置または角度を調整する必要が時折生じるため、本実施例は多方向に角度調整を行うことができ、ユーザーに対して動作調整時における便利さをもたらすだけでなく、同時に必要な構成部材を減少でき、且つコスト上における支出を減少できるだけでなく、同時に構成部材の損失消耗を減少できる単一モジュールの結合（つまり、枢着モジュールとケーシングの結合）に利用される。
【００１５】
事実上、本実施例は、無線ネットワーク受送信器または無線マウスの受送信器に運用されるだけでなく、その他電子製品においても運用が可能である。例えば、該電子モジュール２２をメモリを有するデータ保存装置とすれば、本実施例は携帯ディスク商品をなし、該電子モジュール２２を連結端子とすれば、連結変換器となる。もしも該連結端部１３を一般のソケット端子にし、該電子モジュール２２をソケット電子部材とすれば、ソケットを形成する。また、該連結端部１３を一般のプラグ端子とし、該電子モジュール２２をワイヤユニットとすれば、本実施例は電源線プラグを形成する。したがって、上記に述べたことはあくまでも本考案の好ましい実施例としてのみであり、本考案の明細書及び実用新案登録請求の範囲を応用してなしうる考案の効果や構成の改変は、すべて本考案の請求の範囲に属するものとする。
【図面の簡単な説明】
【００１６】
【図１】本考案の一実施例による多方向に回動可能な電子装置を示す分解斜視図である。
【図２】本考案の一実施例による多方向に回動可能な電子装置の局部を示す分解斜視図である。
【図３】本考案の一実施例による多方向に回動可能な電子装置の組立てた状態を示す斜視図である。
【図４】本考案の一実施例による多方向に回動可能な電子装置の組立てた状態を示す上断面図である。
【図５】本考案の一実施例による多方向に回動可能な電子装置の組立てた状態を示す側断面図である。
【図６】本考案の一実施例による多方向に回動可能な電子装置の動作を示す断面図である。
【図７】本考案の一実施例による多方向に回動可能な電子装置の動作を示す断面図である。
【図８】本考案の第二実施例による多方向に回動可能な電子装置の枢着部材と位置決め部材の構造を示す分解斜視図である。
【符号の説明】
【００１７】
１０  連結ユニット、１１  連結部材、１２  枢着モジュール、１３  連結端部、１４  固定端部、１５  挿入孔、１６  枢着部材、１７  位置決め部材、２０  電子ユニット、２１  ケーシング、２２  電子モジュール、２３  収容エリア、１６１  第１の枢着ケーシング、１６２  第２の枢着ケーシング、１６３  収容部、１６４  回転軸部、１６５  収容空間、１６６  開口（切欠部）、１６７  係止溝、１７１  凸部（突起部）、１７２  通孔、１７３  管状体、１７４  溝、２３１  位置決め溝、２３２  二つの軸受け台座、２３３  アーチ線孔
【図１】
0003113161.tif 000003
【図２】
0003113161.tif 000004
【図３】
0003113161.tif 000005
【図４】
0003113161.tif 000006
【図５】
0003113161.tif 000007
【図６】
0003113161.tif 000008
【図７】
0003113161.tif 000009
【図８】
0003113161.tif 000010